(57)【要約】【課題】  ＩＦカウント方式を用いた信号受信回路において、制御部に接続される信号線の数を低減した信号受信回路を提供する。【解決手段】  信号受信回路は、局発周波数を有する信号を出力するＰＬＬ回路部４と、アンテナ１によって受信した電波信号とＰＬＬ回路部４から出力される局発周波数を有する信号とを混合させる混合部３と、この混合部３による混合によって中間周波数を生成し、その中間周波数を有する信号を検波する検波部６と、ＰＬＬ回路部４でカウントされた中間周波数の値が予め定める正当値であるか否かを判別する制御部７と、検波部６によって検波されたステレオ信号を分離して音声出力部に送るとともに、制御部７からの許可信号に応じて、検波された信号がステレオ信号である旨を第１信号線１６を通じて制御部７に出力するマルチプレクサ部８と、を備え、ＰＬＬ回路部４は、中間周波数のカウントを終了した旨を第２信号線１５を通じて前記制御部に対し出力するものであり、第１信号線１６及び第２信号線１５は、制御部７の同一入力端子ＩＮにそれぞれ接続されている。【選択図】  図１
2005328133.tif 000002
【特許請求の範囲】
【請求項１】
局部発振周波数を有する信号を出力するＰＬＬ部と、
アンテナによって受信した電波信号と前記ＰＬＬ部から出力される局部発振周波数を有する信号とを混合させる混合部と、
この混合部による混合によって中間周波数を生成し、その中間周波数を有する信号を検波する検波部と、
前記ＰＬＬ部に局部発振周波数を出力させる旨の命令、及び前記検波部による検波動作に基づいて前記ＰＬＬ部に前記中間周波数をカウントする旨の命令を出力するとともに、前記ＰＬＬ部でカウントされた中間周波数の値が予め定める正当値であるか否かを判別する制御部と、
前記検波部によって検波されたステレオ信号を分離して音声出力部に送るとともに、前記制御部からの許可信号に応じて、前記検波された信号がステレオ信号である旨を第１信号線を通じて前記制御部に出力する信号分離部と、を備える信号受信回路であって、
前記ＰＬＬ部は、前記中間周波数のカウントを終了した旨を第２信号線を通じて前記制御部に出力するものであり、
前記第１信号線及び前記第２信号線は、前記制御部の同一入力端子にそれぞれ接続されていることを特徴とする、信号受信回路。
【請求項２】
前記信号分離部の前記第１信号線を通じて出力される信号の出力回路、及び前記ＰＬＬ部の前記第２信号線を通じて出力される信号の出力回路は、ワイヤードＯＲ接続されている、請求項１に記載の信号受信回路。
【請求項３】
前記制御部は、前記信号分離部から前記第１信号線を通じて出力される信号と、前記ＰＬＬ部から前記第２信号線を通じて出力される信号とを異なるタイミングで入力する、請求項１又は２に記載の信号受信回路。
【発明の詳細な説明】
【技術分野】
【０００１】
本願発明は、ＦＭやＡＭ等のラジオ信号を受信するための信号受信回路に関するものである。
【背景技術】
【０００２】
従来、ＦＭやＡＭ等のラジオ信号を受信する信号受信回路としては、一般にスーパヘテロダイン方式が用いられている（例えば、特許文献１参照）。
【０００３】
【特許文献１】特開平１１−１１２３８０号公報
【０００４】
また、最近では、電子チューナが一般化し、この電子チューナでは、上記信号受信回路に中間周波数をカウントするＩＦカウント方式といった方式が採用されている。ＩＦカウント方式とは、スーパヘテロダイン方式で用いられる中間周波数（ＩＦ：Intermediate Frequency）をカウントしてそのカウント結果に基づいて所望の放送局を選局する方式であり、オートスキャン等によって放送局を自動的に選局する際に用いられている。
【０００５】
図４は、このＩＦカウント方式が採用された信号受信回路が適用されるチューナ装置のブロック図である。この信号受信回路は、電波を受信するためのアンテナ１と、アンテナ１で受信した電波を増幅するための高周波増幅部２と、高周波増幅部２で増幅された受信信号と、ＰＬＬ回路部４から出力される局部発振周波数（以下、「局発周波数」という。）を有する信号とを混合させて中間周波数を生成する混合部３と、ＰＬＬ制御部４１、ＬＰＦ（Low Pass Filter）４２、及びＶＣＯ（電圧制御発振器）４３からなり、制御部７（後述）の制御指令に応じて局発周波数を出力するＰＬＬ回路部４と、混合部３から出力された中間周波数を有する信号を増幅するＩＦ増幅部５と、ＩＦ増幅部５から出力された中間周波数を有する信号を検波する検波部６と、局発周波数を出力する旨をＰＬＬ回路部４に対して出力する制御部７と、検波部６で検波したステレオ信号を分離するマルチプレクサ部８と、マルチプレクサ部８によって分離された右音声信号及び左音声信号を増幅する右音声信号増幅部９ａ及び左音声信号増幅部９ｂと、右音声信号増幅部９ａ及び左音声信号増幅部９ｂで増幅された音声信号をそれぞれ外部に出力する右音声用スピーカ１０ａ及び左音声用スピーカ１０ｂと、操作表示部１１とを備えている。
【０００６】
この信号受信回路においては、局を選択するためのオートスキャン動作が行われるとき、制御部７は、検波部６から出力される、検波された旨の検波信号に基づいてＰＬＬ回路部４に対して中間周波数をカウントする旨の信号を出力する。ＰＬＬ回路部４は、ＩＦ増幅部５から出力される中間周波数を有する信号に基づいて中間周波数の値をカウントし、中間周波数の値をカウントし終えたことを表すＤＯ信号を制御部７に対して出力する。これにより、制御部７では、ＰＬＬ回路部４においてカウントさせた中間周波数の値を読み出し、その中間周波数が所望の中間周波数であるか否かを判別し、その判別結果に基づいて所望の放送局が選局される。
【０００７】
制御部７は、オートスキャン動作が終了すると、マルチプレクサ部８から検波部６で検波した信号にそれがステレオ信号であることを示す例えば１９ｋＨｚのパイロット信号が含まれている旨のＳＴ信号を得、これにより、ステレオ信号が受信した旨を操作表示部１１に表示させる。なお、制御部７は、オートスキャン中には、マルチプレクサ部８に対して「強制モノ」信号を出力することにより、マルチプレクサ部８から制御部７に対するＳＴ信号の出力を禁止するようにしている。
【発明の開示】
【発明が解決しようとする課題】
【０００８】
従来の上記信号受信回路では、ＩＦカウント方式を採用したために、ＰＬＬ回路部４から制御部７に対して中間周波数の値をカウントし終えたことを表すＤＯ信号を出力させる信号線を追加した構成となっている。しかしながら、その一方で、信号受信回路では、回路構成のコンパクト化の観点から制御部７に対する信号線を極力少なくしたいといった要請がある。
【０００９】
本願発明は、上記した事情のもとで考え出されたものであって、ＩＦカウント方式を用いた信号受信回路において、制御部に接続される信号線の数を低減した信号受信回路を提供することを、その課題とする。
【課題を解決するための手段】
【００１０】
上記の課題を解決するため、本願発明では、次の技術的手段を講じている。
【００１１】
本願発明によって提供される信号受信回路は、局発周波数を有する信号を出力するＰＬＬ部と、アンテナによって受信した電波信号と前記ＰＬＬ部から出力される局発周波数を有する信号とを混合させる混合部と、この混合部による混合によって中間周波数を生成し、その中間周波数を有する信号を検波する検波部と、前記ＰＬＬ部に局発周波数を出力させる旨の命令、及び前記検波部による検波動作に基づいて前記ＰＬＬ部に前記中間周波数をカウントする旨の命令を出力するとともに、前記ＰＬＬ部でカウントされた中間周波数の値が予め定める正当値であるか否かを判別する制御部と、前記検波部によって検波されたステレオ信号を分離して音声出力部に送るとともに、前記制御部からの許可信号に応じて、前記検波された信号がステレオ信号である旨を第１信号線を通じて前記制御部に出力する信号分離部と、を備える信号受信回路であって、前記ＰＬＬ部は、前記中間周波数のカウントを終了した旨を第２信号線を通じて前記制御部に出力するものであり、前記第１信号線及び前記第２信号線は、前記制御部の同一入力端子にそれぞれ接続されていることを特徴としている（請求項１）。
【００１２】
この発明によれば、混合部においてアンテナによって受信した電波信号とＰＬＬ部から出力される局発周波数を有する信号とが混合され、中間周波数が生成される。検波部においてこの中間周波数を有する信号が検波されると、制御部は、その検波動作に基づいてＰＬＬ部に対して中間周波数をカウントする旨の命令を出力する。ＰＬＬ部は、中間周波数のカウントを終了した旨を第２信号線を通じて制御部に対し出力する。制御部は、ＰＬＬ部から読み出した中間周波数の値が予め定める正当値であるか否かを判別し、例えば当該中間周波数の値が正当値である場合、同調したと認識する。その後、制御部は、信号分離部に対して許可信号を送り、信号分離部は、検波部によって検波された信号がステレオ信号である旨を、上記第２信号線と接続された第１信号線を通じて制御部に対して出力する。
【００１３】
このように、ＰＬＬ部から制御部に第２信号線を通じて出力される、中間周波数のカウントを終了した旨の信号は、信号分離部から制御部に第１信号線を通じて出力される、検波によって検波された信号がステレオ信号である旨の信号と、異なるタイミングで制御部に入力されるため、すなわち、両信号は時間的に排他性を有しているので、第１信号線及び第２信号線が制御部の同一入力端子に接続されていても、制御部は、各信号を確実に認識することができる。従って、ＩＦカウント方式が採用されたことにより中間周波数のカウントを終了した旨の信号を伝達する信号線が追加されたとしても、その信号線を他の信号の入力用として兼用することにより、制御部に入力される信号線の増加を実質的に抑制することができ、この信号受信回路の回路構成のコンパクト化を図ることができる。
【００１４】
好ましい実施の形態によれば、前記信号分離部の前記第１信号線を通じて出力される信号の出力回路、及び前記ＰＬＬ部の前記第２信号線を通じて出力される信号の出力回路は、ワイヤードＯＲ接続されているとよい（請求項２）。
【００１５】
他の好ましい実施の形態によれば、前記制御部は、前記信号分離部から前記第１信号線を通じて出力される信号と、前記ＰＬＬ部から前記第２信号線を通じて出力される信号とを異なるタイミングで入力するとよい（請求項３）。
【００１６】
本願発明のその他の特徴及び利点は、添付図面を参照して以下に行う詳細な説明によって、より明らかとなろう。
【発明を実施するための最良の形態】
【００１７】
以下、本願発明の好ましい実施の形態を、添付図面を参照して具体的に説明する。
【００１８】
図１は、本願発明にかかる信号受信回路が適用されるチューナ装置のブロック構成図である。この信号受信回路は、いわゆるスーパヘテロダイン方式が採用されており、ＦＭ信号及びＡＭ信号を受信可能とされている。
【００１９】
この信号受信回路では、外部に接続されたアンテナ１に高周波増幅部２が接続されている。高周波増幅部２は、アンテナ１によって受信された電波を増幅するものである。
【００２０】
高周波増幅部２には、混合部３が接続されている。混合部３は、アンテナ１によって受信された電波信号と、後述するＰＬＬ回路部４から出力される局発周波数を有する信号とを混合させて、中間周波数（ＩＦ）を有する信号を生成するものである。
【００２１】
ＰＬＬ回路部４は、中間周波数を有する信号を生成するための局発周波数を有する信号を混合部３に対して出力するものである。ＰＬＬ回路部４は、例えばＦＭ信号の場合１０．７ＭＨｚの中間周波数が得られるように、またＡＭ信号の場合４５５ｋＨｚの中間周波数がそれぞれ得られるように、所望の放送局の周波数に応じた局発周波数を有する信号を出力する。
【００２２】
ＰＬＬ回路部４は、ＰＬＬ制御部４１と、ＬＰＦ（Low Pass Filter）４２と、ＶＣＯ（電圧制御発振器）４３とによって構成されている。ＰＬＬ制御部４１は、内部で生成された基準周波数とＶＣＯ４３の出力とを図示しない位相比較器で比較し、位相比較器において得られた、周波数の差に比例した直流電圧をＬＰＦ４２に出力する。直流電圧は、当該ＬＰＦ４２を介してＶＣＯ４３に与えられ、ＶＣＯ４３は、上記周波数の差分が反映された局発周波数を有する信号を混合部３に出力するとともに、ＰＬＬ制御部４１の位相比較器に帰還させる。
【００２３】
混合部３には、ＩＦ増幅部５が接続されている。ＩＦ増幅部５は、混合部３において生成された中間周波数を有する信号を増幅するものである。
【００２４】
ＩＦ増幅部５の出力には、ＰＬＬ回路部４が接続されており、ＰＬＬ回路部４には、ＩＦ増幅部５から中間周波数を有する信号が入力され、ＰＬＬ回路部４は、後述する制御部７からの制御指令によりその中間周波数の値をカウントする。ＰＬＬ回路部４では、中間周波数の値のカウントを終了するとその旨の返答信号を制御部７に返す。
【００２５】
また、ＩＦ増幅部５には、検波部６が接続されている。検波部６は、ダイオードやコンデンサ等が組み合わされて構成されており、ＩＦ増幅部５によって増幅された中間周波数を有する信号の高周波電流成分から低周波電流成分を取り出すことにより可聴周波数を有する信号を検波するものである。検波部６には、後述する制御部７が接続されており、検波部６は、制御部７に対して、検波した旨を表す検波信号ＳＤ（signal detect）を出力する。制御部７では、この検波信号ＳＤに基づいてＰＬＬ回路部４に対して中間周波数の値をカウントする旨の制御命令を出力する等の制御処理が行われる。
【００２６】
検波部６には、マルチプレクサ部８が接続されている。マルチプレクサ部８は、検波部６で検波された可聴周波数を有する信号（ステレオ信号）を右音声信号及び左音声信号に分離してスピーカ１０ａ，１０ｂ（後述）に出力させるためのものである。マルチプレクサ部８には、後述する制御部７が接続されており、マルチプレクサ部８は、電波信号がステレオ信号であることを示す例えば１９ｋＨｚのパイロット信号を検出すると、制御部７に対して電波信号がステレオ信号である旨のＳＴ信号を出力する。また、マルチプレクサ部８は、制御部７からの「強制モノ」信号を入力すると、その入力した期間、上記ＳＴ信号の出力を禁止する。ここで、「強制モノ」信号とは、スピーカ１０ａ，１０ｂから出力させる音声信号を強制的にモノラルで出力させるための信号である。
【００２７】
マルチプレクサ部８には、右音声信号増幅部９ａを介して右音声用スピーカ１０ａが接続されているとともに、左音声信号増幅部９ｂを介して左音声用スピーカ１０ｂが接続されている。
【００２８】
制御部７は、マイクロコンピュータ、ＲＯＭ、及びＲＡＭ等によって構成されており、ＩＦカウント方式によるオートスキャン動作を統括制御する機能を有するものである。具体的には、制御部７は、それに接続された操作表示部１１（後述）からユーザによって「オートスキャン」させる旨の操作信号が入力されると、オートスキャン動作の開始となる局発周波数を混合部３に向けて出力させるための周波数データをＰＬＬ回路部４に対して出力する。制御部７は、オートスキャン中に、検波した旨を表す検波信号ＳＤが検波部６から入力されると、中間周波数をカウントするよう指令する旨の制御信号をＰＬＬ回路部４に対して出力する。また、制御部７は、ＰＬＬ回路部４から中間周波数のカウント値を終了した旨の返答信号があると、ＰＬＬ回路部４においてカウントされた中間周波数の値をＰＬＬ回路部４から読み出す。
【００２９】
また、制御部７は、オートスキャン動作中に、マルチプレクサ部８に対して「強制モノ」信号を出力し、マルチプレクサ部８からＳＴ信号がオートスキャン動作中には制御部７に入力させないように規制する。さらに、制御部７は、オートスキャン動作終了後には、「強制モノ」信号の出力を解除して、マルチプレクサ部８からのＳＴ信号の入力を許可する。これらの処理は、制御部７においてＰＬＬ回路部４からのＤＯ信号とマルチプレクサ部８からのＳＴ信号とが同じタイミングで入力されないようにするためであり、詳細は後述する。
【００３０】
制御部７には、マンマシンインターフェースとして機能する操作表示部１１が接続されており、操作表示部１１は、ユーザによる図示しないスイッチの押圧操作があると、その旨の操作信号を制御部７に対して出力する。また、操作表示部１１は、この信号受信回路がＦＭステレオ放送等を受信した旨を表す「ＴＵＮＥＤ」ＬＥＤ（図略）を備えており、制御部１１からの点灯指令に基づいて当該ＬＥＤを点灯させる。
【００３１】
ここで、ＰＬＬ回路部４と制御部７との具体的な配線構成を説明すると、両者は複数の信号線によって接続されている。より具体的には、ＰＬＬ回路部４と制御部７とは、チップイネーブル信号線１２、クロック信号線１３、データ信号線１４、及びＤＯ信号線１５によって接続されている。チップイネーブル信号線１２、クロック信号線１３、及びデータ信号線１４は、制御部７がＰＬＬ回路部４に対して局発周波数を出力させるとき、中間周波数の値のカウントを開始させる旨の制御命令を行うとき、及び中間周波数のカウント値を読み出すとき等に用いられ、ＤＯ信号線１５は、ＰＬＬ回路部４が中間周波数の値のカウントを終了した旨の信号を制御部７に対して出力するときに用いられる。特に、ＤＯ信号線１５は、ＩＦカウント方式が採用されたことにより追加されたものである。
【００３２】
また、マルチプレクサ部８と制御部７とは、上述したように、マルチプレクサ部８から制御部７に対してＳＴ信号を伝達するＳＴ信号線１６、及び制御部７からマルチプレクサ部８に対して「強制モノ」信号を伝達する強制モノ信号線１７によって接続されている。
【００３３】
本実施形態では、マルチプレクサ部８から制御部７に対してＳＴ信号を伝達するためのＳＴ信号線１６が、ＰＬＬ回路部４から制御部７に対してＤＯ信号を伝達するためのＤＯ信号線１５に接続されて、制御部７に入力されている。
【００３４】
具体的には、図２に示すように、ＰＬＬ制御部４１のＤＯ信号の出力回路は、電界効果トランジスタＦＥＴ１によって構成されており、マルチプレクサ部８のＳＴ信号の出力回路も電界効果トランジスタＦＥＴ２によって構成されている。電界効果トランジスタＦＥＴ２は、そのドレイン端子がプル・アップ抵抗Ｒ１を介して電源Ｖccに接続されており、両電界効果トランジスタＦＥＴ１，ＦＥＴ２のドレイン端子同士が接続されているとともに、制御部７の入力端子ＩＮに接続されている。すなわち、両電界効果トランジスタＦＥＴ１，ＦＥＴ２は、互いにオープンドレインの構成とされ、いわゆるワイヤードＯＲ接続されている。そのため、各両電界効果トランジスタＦＥＴ１，ＦＥＴ２からＤＯ信号及びＳＴ信号が制御部７の同一入力端子ＩＮに向けて出力される場合でも、それらの信号が時間的に異なるタイミングで出力される限り、制御部７は、各信号を良好に認識することができる。
【００３５】
この信号受信回路において、オートスキャン動作が行われるとき、ＤＯ信号線１５によってＰＬＬ回路部４から制御部７に伝達される中間周波数の値のカウントを終了した旨のＤＯ信号は、オートスキャンが実行されている期間に出力される。一方、マルチプレクサ部８から制御部７に対して伝達されるＳＴ信号は、オートスキャンが実行された後（同調がとれた後）に出力される。そのため、これらの信号は、時間的に排他性を有しており、制御部７の同一入力端子ＩＮに入力されても制御部７においてそれらの各信号を確実に識別することが可能となる。従って、ＩＦカウント方式が採用されたことにより中間周波数のカウントを終了した旨のＤＯ信号を伝達するＤＯ信号線１５が追加されたとしても、そのＤＯ信号線１５をＳＴ信号の入力用として兼用することにより、制御部７に入力される信号線の増加を実質的に抑制することができ、この信号受信回路の回路構成のコンパクト化を図ることができる。
【００３６】
次に、上記構成にかかる作用について説明する。ここでは、図３を用いて、例えばＦＭ信号を受信する場合について説明する。
【００３７】
まず、制御部７では、「オートスキャン」の実行を開始するべき操作信号が入力されたか否かが判別され（Ｓ１）、ユーザによって操作表示部１１を用いて「オートスキャン」を行う旨が操作されると（Ｓ１：ＹＥＳ）、制御部７は、この操作信号に基づいて「オートスキャン」の実行を開始する。
【００３８】
具体的には、制御部７からマルチプレクサ部８に、「強制モノ」信号が送られ（Ｓ２）、これにより、マルチプレクサ部８から制御部７に対してＳＴ信号の出力が禁止される。また、右及び左音声信号増幅部９ａ，９ｂと右及び左音声用スピーカ１０ａ，１０ｂとの間に設けられ、図示しない切換スイッチに、制御部７からミュート信号が送られ（Ｓ３）、スピーカ１０ａ，１０ｂからの音声出力が禁止される。
【００３９】
次いで、ＰＬＬ回路部４で局発周波数を出力させるための周波数データが制御部７からＰＬＬ制御部４１に出力される（Ｓ４）。その後、制御部７において検波部６からの検波信号ＳＤが監視され、検波信号ＳＤが入力されるか否かが判別される（Ｓ５）。具体的には、制御部７では、検波信号ＳＤの入力される端子のレベルが例えば通常ハイレベルからローレベルになるか否かに基づいて検波信号ＳＤが入力されるか否かを判別する。
【００４０】
一方、ＰＬＬ制御部４１では、制御部７からの周波数データに基づいて、オートスキャン動作を開始するときの予め設定された最初の局発周波数をＬＰＦ４２に向けて出力される。混合部３では、アンテナ１によって受信された電波信号と、ＰＬＬ回路部４から出力される局発周波数を有する信号とが混合され、所望の中間周波数（例えば１０．７ＭＨｚ）に変換された信号が生成される。この信号は、ＩＦ増幅部５において増幅され、検波部６及びＰＬＬ制御部４１に送られる。検波部６では、この信号が検波され、これにより、制御部７に対して検波信号ＳＤが出力される。
【００４１】
制御部７では、検波部６から検波信号ＳＤが出力されて、検波信号ＳＤが入力される端子のレベルが例えばローレベルになったことを検出した場合（Ｓ５：ＹＥＳ）、ＰＬＬ制御部４１に対して中間周波数のカウントを開始させる旨の制御信号が出力される（Ｓ６）。
【００４２】
制御部７では、所定時間経過しても検波信号ＳＤが入力されない場合（Ｓ５：ＮＯ）、ステップＳ４に戻り、次の周波数データをＰＬＬ制御部４１に出力する。
【００４３】
ＰＬＬ制御部４１では、制御部７から中間周波数のカウントを開始させる旨の制御信号を受け取ると、ＩＦ増幅部５から出力される信号の中間周波数がカウントされる。その後、ＰＬＬ制御部４１では、中間周波数の値のカウントが終了すると、ＤＯ信号線１５を通じてその旨の信号が制御部７に対して出力される。
【００４４】
制御部７では、ＤＯ信号線１５を通じてＤＯ信号が入力されるか否かが判別される（Ｓ７）。すなわち、制御部７では、ＤＯ信号が入力される端子のレベルが例えば通常ハイレベルからローレベルになるか否かに基づいてＤＯ信号が入力されるか否かが判別される。
【００４５】
制御部７においてＤＯ信号が入力されたと判別した場合（Ｓ７：ＹＥＳ）、制御部７では、ＰＬＬ制御部４１の図示しないメモリに格納されている中間周波数のカウンタ値を読み出す（Ｓ８）。
【００４６】
そして、制御部７では、中間周波数のカウンタ値が不正であるか否かが判別される（Ｓ９）。例えば、ＦＭ信号を受信する場合、中間周波数ｆが１０．６６５ＭＨｚ＜ｆ＜１０．７３５ＭＨｚの条件にあるか否かを判別し、これ以外のカウント値では不正と判別する。また、ＦＭ信号に代えてＡＭ信号を受信する場合には、中間周波数ｆ′が４４２ｋＨｚ＜ｆ′＜４５８ｋＨｚの条件にあるか否かを判別する。
【００４７】
中間周波数のカウンタ値が不正である場合（Ｓ９：ＹＥＳ）、ステップＳ４に戻り、次の局発周波数を設定してオートスキャン動作を継続する。一方、中間周波数のカウンタ値が不正でない場合（Ｓ９：ＮＯ）、オートスキャン動作を停止させる。
【００４８】
制御部７では、オートスキャン動作を停止させたとき、マルチプレクサ部８に対して、「強制モノ」信号を解除する信号が出力される（Ｓ１０）。また、制御部７では、ミュート信号をオフにする信号が図示しない切換スイッチに対して出力される（Ｓ１１）。マルチプレクサ部８では、検波部６において検波されたステレオ信号を右音声信号及び左音声信号に分離してそれらを右及び左音声信号増幅部９ａ，９ｂに向けて出力するとともに、「強制モノ」信号が解除されたことを受けて、例えば１９Ｈｚのパイロット信号であって、ＦＭステレオ信号を受信した旨のＳＴ信号がＳＴ信号線１６を通じて制御部７に出力される。
【００４９】
このとき、制御部７では、オートスキャン中のＤＯ信号の入力が既に済んでおり、オートスキャン動作が停止されたことを認識しているため、ＤＯ信号と同一入力端子ＩＮを用いてＳＴ信号が入力されても、制御部７は、両信号を良好に認識することができる。
【００５０】
以後、制御部７では、マルチプレクサ部８から送られるＳＴ信号に基づいて操作表示部１１に設けられた「ＴＵＮＥＤ」ＬＥＤ（図略）を点灯させる（Ｓ１２）。従って、ユーザは、この「ＴＵＮＥＤ」ＬＥＤが点灯され、スピーカ１０ａ，１０ｂからＦＭ放送が音声出力されることにより、オートスキャン動作の結果、所望のＦＭ放送の電波を自動的に捉え、受信できたことを認識することができる。
【００５１】
このように、ＤＯ信号とＳＴ信号とを伝達する信号線１５，１６が制御部７の同一入力端子ＩＮに接続されていても、両者は時間的に排他性を有しているので、各信号は、制御部７に対して同時に入力されるようなことはない。従って、制御部７に入力される信号線を低減させることができ、回路構成のコンパクト化に寄与することができる。
【００５２】
もちろん、この発明の範囲は上述した実施の形態に限定されるものではない。例えば受信される信号としては、ＦＭ信号及びＡＭ信号に限るものではない。
【図面の簡単な説明】
【００５３】
【図１】本願発明にかかる信号受信回路が適用されるチューナ装置のブロック図である。
【図２】ＰＬＬ回路部及びマルチプレクサ部の制御部に対する出力回路の構成を示す図である。
【図３】信号受信回路の制御動作を示すフローチャートである。
【図４】従来の信号受信回路が適用されるチューナ装置のブロック図である。
【符号の説明】
【００５４】
１    アンテナ
２    高周波増幅部
３    混合部
４    ＰＬＬ回路部
５    ＩＦ増幅部
６    検波部
７    制御部
８    マルチプレクサ部
１０ａ  右音声用スピーカ
１０ｂ  左音声用スピーカ
４１    ＰＬＬ制御部
【図１】
2005328133.tif 000003
【図２】
2005328133.tif 000004
【図３】
2005328133.tif 000005
【図４】
2005328133.tif 000006
【手続補正書】
【提出日】平成16年10月29日(2004.10.29)
【手続補正１】
【補正対象書類名】明細書
【補正対象項目名】０００７
【補正方法】変更
【補正の内容】
【０００７】
制御部７は、オートスキャン動作が終了すると、マルチプレクサ部８から検波部６で検波した信号にそれがステレオ信号であることを示す例えば１９ｋＨｚのパイロット信号が含まれている旨のＳＴ信号を得、これにより、ステレオ信号を受信した旨を操作表示部１１に表示させる。なお、制御部７は、オートスキャン中には、マルチプレクサ部８に対して「強制モノ」信号を出力することにより、マルチプレクサ部８から制御部７に対するＳＴ信号の出力を禁止するようにしている。
【手続補正２】
【補正対象書類名】明細書
【補正対象項目名】００３０
【補正方法】変更
【補正の内容】
【００３０】
制御部７には、マンマシンインターフェースとして機能する操作表示部１１が接続されており、操作表示部１１は、ユーザによる図示しないスイッチの押圧操作があると、その旨の操作信号を制御部７に対して出力する。また、操作表示部１１は、この信号受信回路がＦＭステレオ放送等を受信した旨を表す「ＴＵＮＥＤ」ＬＥＤ（図略）を備えており、制御部７からの点灯指令に基づいて当該ＬＥＤを点灯させる。
【手続補正３】
【補正対象書類名】明細書
【補正対象項目名】００３４
【補正方法】変更
【補正の内容】
【００３４】
具体的には、図２に示すように、ＰＬＬ制御部４１のＤＯ信号の出力回路は、電界効果トランジスタＦＥＴ１によって構成されており、マルチプレクサ部８のＳＴ信号の出力回路も電界効果トランジスタＦＥＴ２によって構成されている。電界効果トランジスタＦＥＴ２は、そのドレイン端子がプル・アップ抵抗Ｒ１を介して電源Ｖccに接続されており、両電界効果トランジスタＦＥＴ１，ＦＥＴ２のドレイン端子同士が接続されているとともに、制御部７の入力端子ＩＮに接続されている。すなわち、両電界効果トランジスタＦＥＴ１，ＦＥＴ２は、互いにオープンドレインの構成とされ、いわゆるワイヤードＯＲ接続されている。そのため、各電界効果トランジスタＦＥＴ１，ＦＥＴ２からＤＯ信号及びＳＴ信号が制御部７の同一入力端子ＩＮに向けて出力される場合でも、それらの信号が時間的に異なるタイミングで出力される限り、制御部７は、各信号を良好に認識することができる。
【手続補正４】
【補正対象書類名】明細書
【補正対象項目名】００４０
【補正方法】変更
【補正の内容】
【００４０】
一方、ＰＬＬ制御部４１では、制御部７からの周波数データに基づいて、オートスキャン動作を開始するときの予め設定された最初の局発周波数がＬＰＦ４２に向けて出力される。混合部３では、アンテナ１によって受信された電波信号と、ＰＬＬ回路部４から出力される局発周波数を有する信号とが混合され、所望の中間周波数（例えば１０．７ＭＨｚ）に変換された信号が生成される。この信号は、ＩＦ増幅部５において増幅され、検波部６及びＰＬＬ制御部４１に送られる。検波部６では、この信号が検波され、これにより、制御部７に対して検波信号ＳＤが出力される。
【手続補正５】
【補正対象書類名】明細書
【補正対象項目名】００４５
【補正方法】変更
【補正の内容】
【００４５】
制御部７においてＤＯ信号が入力されたと判別した場合（Ｓ７：ＹＥＳ）、制御部７では、ＰＬＬ制御部４１の図示しないメモリに格納されている中間周波数のカウント値を読み出す（Ｓ８）。
【手続補正６】
【補正対象書類名】明細書
【補正対象項目名】００４６
【補正方法】変更
【補正の内容】
【００４６】
そして、制御部７では、中間周波数のカウント値が不正であるか否かが判別される（Ｓ９）。例えば、ＦＭ信号を受信する場合、中間周波数ｆが１０．６６５ＭＨｚ＜ｆ＜１０．７３５ＭＨｚの条件にあるか否かを判別し、これ以外のカウント値では不正と判別する。また、ＦＭ信号に代えてＡＭ信号を受信する場合には、中間周波数ｆ′が４４２ｋＨｚ＜ｆ′＜４５８ｋＨｚの条件にあるか否かを判別する。
【手続補正７】
【補正対象書類名】明細書
【補正対象項目名】００４７
【補正方法】変更
【補正の内容】
【００４７】
中間周波数のカウント値が不正である場合（Ｓ９：ＹＥＳ）、ステップＳ４に戻り、次の局発周波数を設定してオートスキャン動作を継続する。一方、中間周波数のカウント値が不正でない場合（Ｓ９：ＮＯ）、オートスキャン動作を停止させる。